(57)【特許請求の範囲】
【請求項１】
吸引開口を有するケース本体内に設けられて前記吸引開口から吸引したエアーを排気ノズルから排気させる電動送風機と、該電動送風機の下方に位置して前記ケース本体内で隔離された電気室内に収納された制御回路ユニットと、該制御回路ユニットに供給された外部電力を前記電動送風機に供給するために前記電気室内から引き出された内部配線とを備えたエアー式乾燥機において、
前記電気室内の内底面に下端が当接すると共に前記電気室から上端が突出する毛細管部材を備えていることを特徴とするエアー式乾燥機。
【発明の詳細な説明】
【０００１】
【発明の属する技術分野】
本発明は、水回り施設の近傍に配置され、エアーの高圧噴射によって水滴を除去することで乾燥させるエアー式乾燥機に関する。
【０００２】
【従来の技術】
従来、例えば、洗面所や流し台等の蛇口近傍に設置され、利用者の手や食器等の被乾燥体に付着した水滴をエアーの高圧噴射によって吹き飛ばすことで水滴の除去と乾燥とを同時に行うエアー式乾燥機が知られている。
【０００３】
図２は、このようなエアー式乾燥機Ｔを示し、上面にスイッチ部１ａを設けたケース本体１を備えている。
【０００４】
ケース本体１内には、図３に示すように、制御回路ユニット２と電動送風機ユニット３とを備えている。
【０００５】
制御回路ユニット２は、ケース本体１の内底壁面１ｂから立ち上げられた周壁１ｃによって形成された電気室１ｄ内に配置され、絶縁防水性のポッティング剤４に覆われた高電圧系の第一回路基板２ａと、低電圧系の第二回路基板２ｂとを備え、電源コード５から供給された高電圧の電源を第一回路基板２ａで低電圧に変換した上で第二回路基板２ｂによってスイッチ部１ａの制御等を行っている。また、電気室１ｄの上部開口は蓋体６によって覆われている。
【０００６】
電動送風機ユニット３は、電動送風機本体７と、電動送風機本体７を覆う送風機カバー８とを備えている。この送風機カバー８には、先端がケース本体１の前方下面から突出するノズル８ａが連結されている。また、電動送風機本体７は、電源コード５から各基板２ａ，２ｂを経て蓋体６を貫通するリード線９からの供給電源によって駆動し、この駆動に基づいて外気をケース本体１の平面から吸気（矢印ａ参照）してノズル８ａの先端からエアーＥとして噴射する。
【０００７】
リード線９は、蓋体６並びに送風機カバー８にそれぞれ設けられたシールパッキン６ａ，８ｂを貫通している。
【０００８】
【発明が解決しようとする課題】
ところで、電気室１ｄ内は密閉状態としているが、上述したリード線９の蓋体７を貫通した部分にあっては、シールパッキン６ａを採用したとしても、ケース本体１内に浸入した水の電気室１ｄ内へと浸入を完全に浸入を防止することは困難であった。
【０００９】
そして、このように電気室１ｄ内に水滴が浸入してしまうと、電気室１ｄ内には基板４ａ，４ｂ等の回路部品が収納されていることから決して好ましいものではない。その反面、上述したように、電気室１ｄ内は密閉状態としたほうが水滴浸入防止の観点から好ましいことから、例えば、電気室１ｄに対応する内底壁面１ｂに排水孔を設けるなどの構成を採用することは困難であった。
【００１０】
本発明は、上記問題を解決するため、電気室内に浸入してしまった水滴を、高密閉状態を維持したまま除去することができるエアー式乾燥機を提供することを目的とする。
【００１１】
【課題を解決するための手段】
その目的を達成するため、請求項１に記載のエアー式乾燥機は、吸引開口を有するケース本体内に設けられて前記吸引開口から吸引したエアーを排気ノズルから排気させる電動送風機と、該電動送風機の下方に位置して前記ケース本体内で隔離された電気室内に収納された制御回路ユニットと、該制御回路ユニットに供給された外部電力を前記電動送風機に供給するために前記電気室内から引き出された内部配線とを備えたエアー式乾燥機において、
前記電気室内の内底面に下端が当接すると共に前記電気室から上端が突出する毛細管部材を備えていることを要旨とする。
【００１２】
【発明の実施の形態】
次に、本発明のエアー式乾燥機の実施の形態を図面に基づいて説明する。
【００１３】
図１において、エアー式乾燥機Ａは、ケース本体１０と、ケース本体１０内の下方に設けられた制御回路ユニット２０と、ケース本体１０内の上方に設けられた電動送風機ユニット３０とを備えている。
【００１４】
ケース本体１０は、断面有底角柱形状の下ケース１１と、下ケース１１の上面開口を閉成すると共に正面側にノズル部１２を一体に突出した上ケース１３と、ノズル部１２の下方を閉成するキャップ１４とを備えている。
【００１５】
下ケース１１の後壁面１１ａにはその上方寄りに吸引開口１１ｂが形成されている。尚、吸引開口１１ｂの外側には下ケース１１に着脱可能に保持される多孔若しくは多条スリット１５ａを形成した吸引カバー１５に覆われている。また、この吸引カバー１５と吸引開口１１ｂとの間には多孔質フィルター（図示せず）が介装されている。さらに、下ケース１１の底壁１１ｃの上面（内底面）からは制御回路ユニット２０を取り巻くように立ち上げられて電気室１１ｄを形成する周壁１１ｅが突出形成されている。
【００１６】
上ケース１３の上面１３ａにはスイッチ部１６が設けられている。また、上ケース１３の裏面からは電動送風機ユニット３０を吊持するためのボス１３ｂが突出されている。
【００１７】
キャップ１４には、膨出部１４ａが一体に形成されており、この膨出部１４ａ内には被乾燥体（例えば、手や皿）の存在を検知する赤外センサー１７が設けられている。また、キャップ１４には、この赤外センサー１７から出射された赤外光の発光・受光を可能とする黒色透明板１４ｂが設けられている。尚、赤外センサー１７の感度は、下カバー１１の底壁１１ｃより上方周辺に設定されている。さらに、キャップ１４には、ケース本体１０の幅方向に延びるスリット１４ｃが形成されている。
【００１８】
制御回路ユニット２０は、電気室１１ｄ内に設けられた保持皿２１内に充填された絶縁防水性を有するポッティング剤２２に覆われた高電圧系の第一回路基板２３と、保持皿２１から立ち上げられたボス２４に固定された低電圧系の第二回路基板２５とを備え、高電圧の外部供給電源を第一回路基板２３で低電圧に変換した上で第二回路基板２５によってスイッチ部１６等が制御される。また、周壁１１ｅの上面開口は蓋体２６によって覆われている。さらに、制御回路ユニット２０は、電気室１１ｄ内に位置する底壁１１ｃの上面（内底面）に下端２７ａが当接すると共に蓋体２６を上端２７ｂが貫通することで電気室１１ｄから突出する毛細管現象特性を有する毛細管部材２７を有する。
【００１９】
この毛細管部材２７は、例えば、綿体等を円柱形状に形成したものが使用されており、その円柱形状が保形されることが好ましい。尚、図示例では毛細管部材２７の上端が蓋体２６を貫通することによって電気室１１ｄの外部に毛細管部材２７の上端２７ｂが露出した構成を採用しているが、例えば、周壁１１ｅを貫通するなど、少なくとも、毛細管部材２７の下端が電気室１１ｄ内の底壁１１ｃの上面に当接し、毛細管部材２７の上端２７ａが電気室１１ｄの外部に露出され、毛細管現象特性が発揮されるという条件を満たせば、毛細管部材２７の材質，形状，設置場所，本数等は特に限定されるものではない。また、上述したように、第一回路基板２３をポッティング剤２２で覆ったような構成では、図１の鎖線で示すように、ポッティング剤２２の上面２２ａを内底面とし、上面２２ａに下端２７ａを当接させると共に上端２７ｂを蓋体２６から貫通させて電気室１１ｄの外部に露出した毛細管部材２７としても良い。
【００２０】
電動送風機ユニット３０は、電動送風機本体４０と、電動送風機本体４０を覆う送風機カバー５０と、送風機カバー５０に連結された排気ノズル６０とを備えている。
【００２１】
電動送風機本体４０は、遠心ファンをモータによって回転する公知の構成が採用されている。遠心ファンはファンカバー４１で覆われており、モータは複数の排気口４２を有するモータカバー４３内に取り付けられている。遠心ファンの回転によってファンカバー４１から吸引した外気は排気口４２から排出される。また、電動送風機本体４０はその前後を覆う防振ゴム４４，４５を介して送風機カバー５０に保持されている。
【００２２】
送風機カバー５０は、ファンカバー４１を覆ったファンケース５１と、モータカバー４３を覆ったモータケース５２との合わせ構造からなる。
【００２３】
ファンケース５１の吸引開口１１ｂ側の縦壁５１ａには吸引開口１１ｂよりも外周側で本体カバー１１の内壁面と当接する周回形状のリブ５１ｂが突出形成され、これにより、送風機カバー５１内とその他の本体カバー１１内とが隔離されている。また、縦壁５１ａには多数の吸気孔５１ｃが形成されている。さらに、縦壁５１ａの吸気孔５１ｃよりも上方には、リブ５１ｄによって縦壁５１ａから離間された状態で螺子５３を介して吸気側水滴センサー５４が設けられている。また、縦壁５１ａの内壁面には吸気孔５１ｃを取り巻く櫛歯状円筒壁５１ｅが形成されている。この櫛歯状円筒壁５１ｅとファンケース５１の内壁面との間にはドーナッツ形状の吸音材５５が設けられている。
【００２４】
モーターケース５２の後壁上部には排気ノズル６０が接続される円筒部５２ａが一体に形成されている。また、ファンケース５１とモータケース５２との合わせ部に設けられたシールパッキン５６には第二回路基板２５から蓋体２６に固定のシールパッキン２６ａを貫通してモータと接続されるリード線５７が貫通している。さらに、円筒部５２ａと排気ノズル６０との接合部分には、両者に跨るように、ヒーター５８が設けられている。尚、モーターケース５２の下面に水抜孔５２ｂを形成しても良い。この際、水抜孔５２ｂを毛細管部材２７の上端２７ｂの近傍に形成し、排気口４２から排気されたモータ冷却風を毛細管部材２７に吹き付ける冷却風として用いることもできる。
【００２５】
排気ノズル６０には、スリット１４ｃから先端が前方斜め下向きに突出するようにノズル部６１を下方に向けて屈曲した幅広（紙面と直交する方向）のものが使用されている。また、排気ノズル６０内には、螺子６２を介して排気側水滴センサー６３が固定されている。
【００２６】
このような構成において、エアー式乾燥機Ａは、流し台のシンク周辺の水平台や洗面台の水平台に載置される。
【００２７】
これにより、本体内部の音が吸引開口１１ｂから漏れたとしても、使用者はエアー式乾燥機Ａの前方側に位置していることから、その音が使用者から離れる方向に漏れるため、音漏れによる不快感が緩和される。
【００２８】
そして、手や食器等の被乾燥体に付着した水滴を除去する場合には、スイッチ部１６をオンした状態でノズル部６１の下方に被乾燥体を臨ませることにより、赤外センサー１７がその被乾燥体を検出して（或いは、スイッチ部１６の連続スイッチをオンして）電動送風機本体４０を駆動させ、多条スリット１５ａ（多孔質フィルター），吸引開口１１ｂ，吸気孔５１ｃ、送風機カバー５０内、電動送風機本体４０内、排気口４２，円筒部５２ａ，ヒーター５７，排気ノズル６０，ノズル部６１を経由して高圧エアーＥが噴射され、この高圧エアーＥによって、被乾燥体に付着した水滴が吹き飛ばされ、これにより被乾燥体が乾燥される。
【００２９】
一方、吸引開口１１ｂ，吸気孔５１ｃを経由して送風機カバー５０内へと水滴が導かれた場合、その水滴が比較的大量であった場合には、水抜孔５２ｂから排水された後、ケース本体１０の電気室１１ｄから外れた底壁１１ｃ、即ち、周壁１１ｅよりも外周に位置する底壁１１ｃに形成された水抜き穴（図示せず）から排水される。
【００３０】
同様に、吸引開口１１ｂ，吸気孔５１ｃを経由して送風機カバー５０内へと水滴が導かれた場合、その水滴が少量でしかも水抜孔５２ｂから排水されずに（又は蓋体２６の上面を伝って）リード線５６に案内されて電気室１１ｄ内に浸入した水滴は、底壁１１ｃに下端が当接する毛細管部材２７に吸水されると共に、その毛細管現象特性によって上昇して電気室１１ｄの外部に突出する部分で蒸発される。
【００３１】
尚、底壁１１ｃ（又はポッティング剤２２の上面２２ａ）に毛細管部材２７の下端２２ａに水滴を導くように傾斜面を設けても良い。
【００３２】
【発明の効果】
以上説明したように、請求項１に記載のエアー式乾燥機にあっては、電気室内の内底面に下端が当接すると共に電気室から上端が突出する毛細管部材を備えていることにより、電気室内に浸入してしまった水滴を、高密閉状態を維持したまま除去することができる。
【図面の簡単な説明】
【図１】本発明の実施の形態に係わるエアー式乾燥機の縦断面図である。
【図２】（Ａ）はエアー乾燥機の前方斜視図、（Ｂ）はエアー乾燥機の後方斜視図である。
【図３】従来のエアー式乾燥機の縦断面図である。
【符号の説明】
１…エアー式乾燥機
１０…ケース本体
１１…下ケース
１１ｂ…吸引開口
１１ｃ…底壁（内底面）
１１ｄ…電気室
１１ｅ…周壁
２２…ポッティング剤
２２ａ…上面（内底面）
２６…蓋体
２７…毛細管部材
４０…電動送風機本体（電動送風機）
５６…リード線（内部配線）
６０…排気ノズル
【図１】
0003784246.tif 000002
【図２】
0003784246.tif 000003
【図３】
0003784246.tif 000004